(57)【要約】【課題】障がい者の方でも食事で食べ物を摂取し易くすることができる障がい者用いすを提供する。【解決手段】障がい者が食事をする際に用いる障がい者用いすであって、座部と、前記座部を支える脚部と、前記座部から起立した背もたれと、前記座部に取り付けた肘掛けと、前記座部に設置する側方略三角形の厚さ形状を有し後端部が前端部より厚く形成された座板とを備えていることを特徴とする障がい者用いす。【選択図】図１
0003229788.tif 000002
【実用新案登録請求の範囲】
【請求項１】
障がい者が食事をする際に用いる障がい者用いすであって、
座部と、
前記座部を支える脚部と、
前記座部から起立した背もたれと、
前記座部に取り付けた肘掛けと、
前記座部上に設置する側方略三角形の厚さ形状を有し後端部が前端部より厚く形成された座板とを備えていることを特徴とする障がい者用いす。
【請求項２】
前記座板の厚さ寸法を複数種類設けることを特徴とする請求項１記載の障がい者用いす。
【請求項３】
前記座部と前記座板とは、奥行方向の寸法及び幅方向の寸法が同一の寸法に形成されていることを特徴とする請求項１記載の障がい者用いす。
【請求項４】
前記座板には、後端部の両端に平面視略方形状の切り欠きが形成されていることを特徴とする請求項１記載の障がい者用いす。
【請求項５】
前記座部の後端部の両端に配置され、前記背もたれと前記肘掛けとを連結する連結部材を備え、
前記切り欠きは、前記連結部材に当接していることを特徴とする請求項４記載の障がい者用いす。
【請求項６】
複数種類の前記座板のうち最も小さい厚さ寸法の座板の厚さ寸法を１とした場合、その他の座板の厚さ寸法は、１×ｎ（ｎは２以上の自然数）であることを特徴とする請求項２記載の障がい者用いす。
【請求項７】
前記座板の奥行方向の寸法を１とした場合、前記座板の厚さ寸法は、１／１５〜１／５であることを特徴とする請求項１記載の障がい者用いす。
【考案の詳細な説明】
【技術分野】
【０００１】
本考案は、障がい者用いすに係り、特に、食事の際に用いる障がい者用いすに関する。
【背景技術】
【０００２】
従来、障がい者（ダウン症、脳性まひ等）の方には様々な原因で摂食、嚥下機能に低下がみられ、適切に食事を摂取できない場合がある。
【０００３】
そこで、特許文献１は、起立補助椅子において、椅子の座板上のシート部を前脚側の座板に回動可能に取り付けると共にシート部を常時隆起する方向に付勢する付勢手段とシート部を任意の傾斜位置に係止する係止機構とを備え、後脚にアームレストを伸縮可能に設けると共に、アームレストを任意の位置に保持するためのアームレスト保持機構を設けた起立補助椅子を開示している。
しかしながら、このような起立補助椅子は、患者の立位訓練を目的とするものであり、障がい者の方の食事をサポートすることはできない。
【先行技術文献】
【特許文献】
【０００４】
【特許文献１】特開平７−８５２１号公報
【考案の概要】
【考案が解決しようとする課題】
【０００５】
そこで、本考案の課題は、障がい者の方でも食事で食べ物を摂取し易くすることができる障がい者用いすを提供することにある。
【課題を解決するための手段】
【０００６】
上記課題達成のため、請求項１記載の考案にあっては、障がい者が食事をする際に用いる障がい者用いすであって、座部と、前記座部を支える脚部と、前記座部から起立した背もたれと、前記座部に取り付けた肘掛けと、前記座部上に設置する側方略三角形の厚さ形状を有し後端部が前端部より厚く形成された座板とを備えていることを特徴とする。
従って、本考案に係る障がい者用いすにあっては、座板に着座した障がい者の方は、座面が前傾しているためにやや前傾姿勢になり、その結果、骨盤と頸部が適切な位置に誘導され、嚥下の改善が期待できる。
【０００７】
請求項２記載の考案にあっては、前記座板の厚さ寸法を複数種類設けることを特徴とする。
従って、本考案に係る障がい者用いすにあっては、複数種類の座板を障がい者の方の身体的条件に応じて使用できる。
【０００８】
請求項３記載の考案にあっては、前記座部と前記座板とは、奥行方向の寸法及び幅方向の寸法が同一の寸法に形成されていることを特徴とする。
従って、本考案に係る障がい者用いすにあっては、座部と座板とを平面方向において過不足なく重ねることができる。
【０００９】
請求項４記載の考案にあっては、前記座板には、後端部の両端に平面視略方形状の切り欠きが形成されていることを特徴とする。
従って、本考案に係る障がい者用いすにあっては、切り欠きによって背もたれや肘掛け等の部材を回避した状態で座板を座部上に載置することができる。
【００１０】
請求項５記載の考案にあっては、前記座部の後端部の両端に配置され、前記背もたれと前記肘掛けとを連結する連結部材を備え、前記切り欠きは、前記連結部材に当接していることを特徴とする。
従って、本考案に係る障がい者用いすにあっては、切り欠きが、座板の移動を規制するストッパとなる。
【００１１】
請求項６記載の考案にあっては、複数種類の前記座板のうち最も小さい厚さ寸法の座板の厚さ寸法を１とした場合、その他の座板の厚さ寸法は、１×ｎ（ｎは２以上の自然数）であることを特徴とする。
従って、本考案に係る障がい者用いすにあっては、複数種類の座板において、厚さ寸法が同じ割合で段階的に厚くなる。
【００１２】
請求項７記載の考案にあっては、前記座板の奥行方向の寸法を１とした場合、前記座板の厚さ寸法は、１／１５〜１／５であることを特徴とする。
従って、本考案に係る障がい者用いすにあっては、座板の奥行方向の寸法と座板の厚さ寸法とを規定寸法とすることができる。
【考案の効果】
【００１３】
請求項１記載の考案にあっては、障がい者が食事をする際に用いる障がい者用いすであって、座部と、前記座部を支える脚部と、前記座部から起立した背もたれと、前記座部に取り付けた肘掛けと、前記座部に設置する側方略三角形の厚さ形状を有し後端部が前端部より厚く形成された座板とを備えていることから、座板に着座した障がい者の方は、座面が前傾しているためにやや前傾姿勢になり、その結果、骨盤と頸部が適切な位置に誘導され、嚥下の改善が期待できる。
また、本考案に係る障がい者用いすを使用することにより、食事の全介助を受けている脳性麻痺重度の障がい者の方が、短時間ではあるが自ら独力で食事が可能となった、という事例があり、障がい者である使用者の方の残存能力を引き出すことができる、という経過が確認されている。
【００１４】
請求項２記載の考案にあっては、前記座板の厚さ寸法を複数種類設けることから、複数種類の座板を障がい者の方の個体の身体的条件に応じて使用できるため、使い勝手のよい障がい者用いすを提供することができる。
【００１５】
請求項３記載の考案にあっては、前記座部と前記座板とは、奥行方向の寸法及び幅方向の寸法が同一の寸法に形成されていることから、座部と座板とを平面方向において過不足なく重ねることができるため、座り心地のよい障がい者用いすを提供することができる。
【００１６】
請求項４記載の考案にあっては、前記座板には、後端部の両端に平面視略方形状の切り欠きが形成されていることから、切り欠きによって背もたれや肘掛け等の部材を回避することができるため、効率よく座板を配置することができる。
【００１７】
請求項５記載の考案にあっては、前記座部の後端部の両端に配置され、前記背もたれと前記肘掛けとを連結する連結部材を備え、前記切り欠きは、前記連結部材に当接していることから、切り欠きが、座板の移動を規制するストッパとなるため、障がい者の方が着座する際に、座板が後方へずれることを回避することができる。
【００１８】
請求項６記載の考案にあっては、複数種類の前記座板のうち最も小さい厚さ寸法の座板の厚さ寸法を１とした場合、その他の座板の厚さ寸法は、１×ｎ（ｎは２以上の自然数）であることから、複数種類の座板の厚さ寸法が同じ割合で段階的に厚くなるため、障がい者の方の身体的条件に合わせやすい複数種類の座板を提供することができる。
【００１９】
請求項７記載の考案にあっては、前記座板の奥行方向の寸法を１とした場合、前記座板の厚さ寸法は、１／１５〜１／５であることから、座板の奥行方向の寸法と座板の厚さ寸法とを規定寸法とすることができるため、より一層、嚥下し易い角度の座板を提供することができる。
【図面の簡単な説明】
【００２０】
【図１】本考案に係る障がい者用いすの一実施の形態における斜視図である。
【図２】本考案に係る障がい者用いすの一実施の形態における座部、脚部、背もたれ、肘掛け等を示す斜視図である。
【図３】本考案に係る障がい者用いすの一実施の形態における座板を示す斜視図である。
【図４】本考案に係る障がい者用いすの一実施の形態における第一座板を示す図であり、図中（Ａ）は平面図を示し、図中（Ｂ）は側面図を示している。
【図５】本考案に係る障がい者用いすの一実施の形態における第二座板を示す図であり、図中（Ａ）は平面図を示し、図中（Ｂ）は側面図を示している。
【図６】本考案に係る障がい者用いすの一実施の形態における第三座板を示す図であり、図中（Ａ）は平面図を示し、図中（Ｂ）は側面図を示している。
【図７】本考案に係る障がい者用いすの一実施の形態における使用方法を示す図である。
【考案を実施するための形態】
【００２１】
以下、本考案に係る一実施の形態について、図面を参照しながら説明する。なお、各図面においては、理解を容易にするために部材の形状や寸法を誇張したり一部の部材を省略したりして図示している箇所もある。
図１に示すように、本実施の形態に係る障がい者用いす１０は、障がい者が食事をする際に用いる障がい者用いす１０であって、座部１１と、座部１１を支える脚部１２と、座部１１から起立した背もたれ１３と、座部１１に取り付けた肘掛け１４と、座部１１に設置する側方略三角形の厚さ形状を有し後端部ＥＰが前端部ＦＰより厚く形成された座板１５とを備えている。
従って、本実施の形態に係る障がい者用いす１０にあっては、座板１５に着座した障がい者の方はやや前傾姿勢になり、その結果、腹筋及び喉の筋肉が緊張して嚥下し易くなる。
本実施の形態に係る障がい者用いす１０の座板１５を除いた各部材は、円筒状のパイプ及びパイプを連結する部材により構成されている。
【００２２】
座部１１と座板１５とは、奥行方向の寸法及び幅方向の寸法が同一の寸法に形成されている。従って、本実施の形態に係る障がい者用いす１０にあっては、座部１１と座板１５とを平面方向において過不足なく重ねることができる。
【００２３】
図３に示すように、座板１５には、後端部ＥＰの両端に平面視略方形状の切り欠き１６が一対に形成されている。従って、本実施の形態に係る障がい者用いす１０にあっては、切り欠き１６によって背もたれ１３や肘掛け１４等の部材を回避することができる。
【００２４】
図１に示すように、座部１１の後端部の両端には、背もたれ１３と肘掛け１４とを連結する連結部材１７が配置されている。連結部材１７は、背もたれ１３の下端部と、肘掛け１４の後方下端部とを包み込んで連結する部材である。切り欠き１６は連結部材１７に当接している。従って、本実施の形態に係る障がい者用いす１０にあっては、切り欠き１６が、座板１５の移動を規制するストッパとなる。
【００２５】
障がい者用いす１０の幅方向の寸法Ｘ１は５１０ｍｍである。障がい者用いす１０の奥行方向の寸法Ｙ１は４５０ｍｍである。障がい者用いす１０の高さ方向の寸法Ｚ１は７８０ｍｍである。障がい者用いす１０の接地面から座部１１の上面までの高さ方向の寸法Ｚ２は３７０ｍｍである。障がい者用いす１０の接地面から肘掛け１４の上面までの高さ方向の寸法Ｚ３は５４０ｍｍである。
【００２６】
そして、図１に示す障がい者用いす１０から座板１５を取り外すと、図２に示す状態となる。また、図１及び図２に示す障がい者用いす１０は、このままの状態でも使用可能であるが、所望の位置に布等を被せて使用することも可能である。
【００２７】
本実施の形態に係る障がい者用いす１０にあっては、座板１５の厚さ寸法を複数種類設けている。従って、本実施の形態に係る障がい者用いす１０にあっては、複数種類の座板１５を障がい者の方の個体に応じて使用できる。
【００２８】
図４に示すように、第一座板１５−１は、平面視略凸形状の部材である。なお、第一座板１５−１は、図１に示す座板１５である。
第一座板１５−１の幅方向の寸法Ｘ２は５１０ｍｍである。切り欠き１６の幅方向の寸法Ｘ３は３６ｍｍである。第一座板１５−１の切り欠き１６を除いた幅方向の寸法Ｘ４は、４３８ｍｍである。
【００２９】
第一座板１５−１の奥行方向の寸法Ｙ２は４５０ｍｍである。切り欠き１６の奥行方向の寸法Ｙ３は７１ｍｍである。第一座板１５−１の切り欠き１６を除いた奥行方向の寸法Ｙ４は３７９ｍｍである。
第一座板１５−１の後端部ＥＰの高さ方向の寸法Ｚ４は９０ｍｍである。なお、第一座板１５−１の前端部ＦＰの高さ方向の寸法は数ミリ〜数十ミリ程度とすることができる。
【００３０】
図５に示すように、第二座板１５−２は、平面視略凸形状の部材である。第二座板１５−２の後端部ＥＰの高さ方向の寸法Ｚ５は６０ｍｍである。なお、その他の寸法は、第一座板１５−１の寸法と同様である。
【００３１】
図６に示すように、第三座板１５−３は平面視略凸形状の部材である。第三座板１５−３の後端部ＥＰの高さ方向の寸法Ｚ６は３０ｍｍである。なお、その他の寸法は、第一座板１５−１の寸法と同様である。
【００３２】
複数種類の座板（第一座板１５−１〜第三座板１５−３）のうち最も小さい厚さ寸法の座板（第三座板１５−３）の厚さ寸法を「１」＝「３０ｍｍ」とした場合、その他の座板（第二座板１５−２、第一座板１５−１）の厚さ寸法は、「１×ｎ（ｎは２以上の自然数）」＝「６０ｍｍ、９０ｍｍ」である。
従って、本実施の形態に係る障がい者用いす１０にあっては、複数種類の座板（第一座板１５−１〜第三座板１５−３）の厚さ寸法が同じ割合で段階的に厚くなるように構成されている。
【００３３】
また、座板（第一座板１５−１〜第三座板１５−３）の奥行方向の寸法を「１」＝「４５０ｍｍ」とした場合、座板（第三座板１５−３〜第一座板１５−１）の厚さ寸法は、「１／１５〜１／５」＝「３０〜９０ｍｍ」である。
従って、本実施の形態に係る障がい者用いす１０にあっては、座板の奥行方向の寸法と座板の厚さ寸法とを規定寸法とすることができる。
【００３４】
次に、本実施の形態に係る障がい者用いす１０の使用方法について説明する。
本実施の形態に係る障がい者用いす１０を使用する場合、図２に示す状態の障がい者用いす１０に、図４〜図６に示すいずれかの座板（第一座板１５−１〜第三座板１５−３）を設置して、図１に示す状態の障がい者用いす１０を完成させる。
【００３５】
そして、障がい者用いす１０の座板１５には、前方に向かって緩やかな下り傾斜となる角度が付いていることから、図７に示すように、障がい者用いす１０に着座した障がい者Ｐの方は、上半身がやや前傾姿勢になる。
【００３６】
以上説明したように、本実施の形態に係る障がい者用いす１０にあっては、座板１５に着座した障がい者Ｐの方はやや前傾姿勢になり、その結果、腹筋及び喉の筋肉が緊張して嚥下し易くなるため、障がい者Ｐの方でも食事で食べ物２０を摂取し易くなる。
【００３７】
また、本実施の形態に係る障がい者用いす１０にあっては、複数種類の座板（第一座板１５−１〜第三座板１５−３）を障がい者Ｐの方個々の身体的条件に応じて使用できるため、使い勝手のよい障がい者用いす１０を提供することができる。
【００３８】
さらに、本実施の形態に係る障がい者用いす１０にあっては、座部１１と座板１５とを平面方向において過不足なく重ねることができるため、座り心地のよい障がい者用いす１０を提供することができる。
【００３９】
さらにまた、本実施の形態に係る障がい者用いす１０にあっては、切り欠き１６によって背もたれ１３や肘掛け１４等の部材を回避することができるため、効率よく座板１５を配置することができる。
【００４０】
その上、本実施の形態に係る障がい者用いす１０にあっては、切り欠き１６が、座板１５の移動を規制するストッパとなるため、障がい者Ｐの方が着座する際に、座板１５が後方へずれることを回避することができる。
【００４１】
また、本実施の形態に係る障がい者用いす１０にあっては、複数種類の座板（第一座板１５−１〜第三座板１５−３）の厚さ寸法が同じ割合で段階的に厚くなるため、障がい者Ｐの方の個体に合わせやすい複数種類の座板（第一座板１５−１〜第三座板１５−３）を提供することができる。
【００４２】
さらに、本実施の形態に係る障がい者用いす１０にあっては、座板１５の奥行方向の寸法と座板１５の厚さ寸法とを規定寸法とすることができるため、より一層、嚥下し易い角度の座板１５を提供することができる。
【００４３】
上述した実施の形態にあっては、以下の変形が可能である。
（１）座板１５は、３種類の例で説明したが、１種類や２種類であってもよく、４種類以上であってもよい。
（２）座部１１と座板１５とは、奥行方向の寸法及び幅方向の寸法が異なる寸法に形成されていてもよい。
（３）座板１５には、後端部ＥＰの両端に切り欠き１６を形成しなくてもよい。
（４）座板１５の後端部ＥＰの厚さ寸法は、２０〜１００ｍｍの範囲内の寸法であることが好ましい。
（５）障がい者用いす１０の各部材の寸法は、あくまで例示であり、本実施の形態に限定されるものではない。
【産業上の利用可能性】
【００４４】
本考案は障がい者用いすに係ることから、広く産業上の利用可能性を有している。
【符号の説明】
【００４５】
１０  障がい者用いす
１１  座部
１２  脚部
１３  背もたれ
１４  肘掛け
１５  座板
１５−１  第一座板
１５−２  第二座板
１５−３  第三座板
１６  切り欠き
１７  連結部材
２０  食べ物
ＦＰ  前端部
ＥＰ  後端部
Ｐ  障がい者
【図１】
0003229788.tif 000003
【図２】
0003229788.tif 000004
【図３】
0003229788.tif 000005
【図４】
0003229788.tif 000006
【図５】
0003229788.tif 000007
【図６】
0003229788.tif 000008
【図７】
0003229788.tif 000009